(57)【要約】　　　（修正有）【課題】特別のサポート部材を発泡ミッドソールに加えるとシューズの重さが増大し、シューソールの製作コストが上昇する。また、サポート部材の材質、形状の変更はミッドソールの生体力学的特性の改善を妨げ、生体力学的研究の成果、新種のスポーツでの要求変更に迅速に適応が不可能であるといった従来の欠点を克服したシューソールを提供する。【解決手段】シューソールの足の前部分に配置された第１の荷重分散プレート１００および少なくとも外側１１０，１１２と内側１１１，１１３の変形可能な部材を備え、足の前部分の後端から始まる第１の荷重分散プレート１００は、外側１１０，１１２および／または内側１１１，１１３の変形可能な部材を少なくとも部分的に包み込んでいる。また、踵部分についても同様に設計されている。【選択図】図７
2004033739.tif 000002
【特許請求の範囲】
【請求項１】
シューソール、特にスポーツシューズ用のシューソールであって、
ａ．　該シューソールの前部分に配置された第１の荷重分散プレート（１００）、
ｂ．　少なくとも外側（１１０，１１２）と内側（１１１，１１３）の変形可能部材、
を有してなり、
ｃ．　前記前部分の後端から始まる前記第１の荷重分散プレート（１００）が、前記外側（１１０，１１２）と内側（１１１，１１３）の変形可能部材を少なくとも部分的に包囲していることを特徴とするシューソール。
【請求項２】
前記外側（１１０，１１２）と内側（１１１，１１３）の変形可能部材が、前記シューソールの荷重の元で独立して変形できるように、前記第１の荷重分散プレート（１００）の下に、互いから間隙（１２０）を介して配置されていることを特徴とする請求項１記載のシューソール。
【請求項３】
前記第１の荷重分散プレート（１００）が、前方に開いた「Ｕ」字形の形状を持つことを特徴とする請求項１記載のシューソール。
【請求項４】
前記第１の荷重分散プレート（１００）が、独立して歪められる外側（１０５）と内側（１０６）の下側を有してなることを特徴とする請求項３記載のシューソール。
【請求項５】
前記外側（１０５）と内側（１０６）の下側が、前記第１の荷重分散プレート（１００）の切込みセクション（１０７）により互いから分離されていることを特徴とする請求項４記載のシューソール。
【請求項６】
前記第１の荷重分散プレート（１００）が、前記外側（１０５）と内側（１０６）の下側よりも前方にさらに延在している上側（１０９）を含むことを特徴とする請求項４または５記載のシューソール。
【請求項７】
後外側変形可能部材（１１０）、前外側変形可能部材（１１２）、後内側変形可能部材（１１１）および前内側変形可能部材（１１３）が、前記第１の荷重分散プレート（１００）の下に互いから間隙（１２０）を介して配置されていることを特徴とする請求項１から６いずれか１項記載のシューソール。
【請求項８】
爪先変形可能部材（１１４）が、他の変形可能部材（１１０，１１１，１１２，１１３）から間隙（１２０）を介して、前記第１の荷重分散プレート（１００）の下の最先端部分に配置されていることを特徴とする請求項７記載のシューソール。
【請求項９】
前記爪先変形可能部材（１１４）が前方に前記第１の荷重分散プレート（１００）を越え、高弾性を有することを特徴とする請求項８記載のシューソール。
【請求項１０】
前記後外側変形可能部材（１１０）、前記前外側変形可能部材（１１２）、前記後内側変形可能部材（１１１）、前記前内側変形可能部材（１１３）および前記爪先変形可能部材（１１４）の間の間隙（１２０）が直線であることを特徴とする請求項８または９記載のシューソール。
【請求項１１】
前記第１の荷重分散プレート（１００）の下に、前記変形可能部材（１１０，１１１，１１２，１１３，１１４）の前記直線の間隙（１２０）に沿って少なくとも１つの突状（１０１）が配置されていることを特徴とする請求項１０記載のシューソール。
【請求項１２】
前記後変形可能部材（１１０，１１１）が、前記前変形可能部材（１１２，１１３）とは異なる硬度を持つことを特徴とする請求項７から１１いずれか１項記載のシューソール。
【請求項１３】
前記変形可能部材（１１０，１１１，１１２，１１３，１１４）の弾性が後方から前方に増加することを特徴とする請求項１２記載のシューソール。
【請求項１４】
前記外側変形可能部材（１１０，１１２）が、前記内側変形可能部材（１１１，１１３）とは異なる硬度を持つことを特徴とする請求項１から１３いずれか１項記載のシューソール。
【請求項１５】
さらに、
ｄ．　前記シューソールの踵部分に配置された第２の荷重分散プレート、
ｅ．　踵と最初に地面に接触する最中の前記シューソールの緩衝特性を決定する、前記第２の荷重分散プレート（１０）の下に配置された少なくとも１つの緩衝部材（２０）、
ｆ．　前記最初の地面との接触後に足を中立位置に持っていく材料特性を有する、前記第２の荷重分散プレート（１０）の下に配置された少なくとも１つの誘導部材（２１，２２）、
をさらに有することを特徴とする請求項１から１４いずれか１項記載のシューソール。
【請求項１６】
前記第２の荷重分散プレート（１０）の下に、一歩一歩の周期の転がし離し相への移行中に過剰な回内を防ぐ材料特性を有する安定化部材（２３）が追加に配置されていることを特徴とする請求項１５記載のシューソール。
【請求項１７】
前記第２の荷重分散プレート（１０）の下に、外側（２１）と内側（２２）の誘導部材が配置されていることを特徴とする請求項１６記載のシューソール。
【請求項１８】
前記緩衝部材（２０）、前記２つの誘導部材（２１，２２）および前記安定化部材（２３）の各々が、前記第２の荷重分散プレート（１０）の下の区域の実質的にセクター状部分を占めることを特徴とする請求項１７記載のシューソール。
【請求項１９】
前記荷重分散プレート（１０）の下の区域の後外側部分を前記緩衝部材（２０）が実質的に占め、前外側部分を前記第１の誘導部材（２１）が実質的に占め、後内側部分を前記第２の誘導部材（２２）が実質的に占め、前内側部分を前記安定化部材（２３）が実質的に占めることを特徴とする請求項１８記載のシューソール。
【請求項２０】
前記緩衝部材（２０）、前記２つの誘導部材（２１，２２）および前記安定化部材（２３）の各々が、互いから間隙（２７）を介して配置されていることを特徴とする請求項１９記載のシューソール。
【請求項２１】
前記間隙（２７，１２０）の内の少なくとも１つに、追加の強化部材が配置されていることを特徴とする請求項２０記載のシューソール。
【請求項２２】
前記第１の誘導部材（２１）および／または第２の誘導部材（２２）が、前記緩衝部材（２０）よりも大きい硬度を持つことを特徴とする請求項１７から２１いずれか１項記載のシューソール。
【請求項２３】
前記第１の誘導部材（２１）および／または第２の誘導部材（２２）および／または前記安定化部材（２３）の硬度が後方から前方に増加することを特徴とする請求項１７から２２いずれか１項記載のシューソール。
【請求項２４】
前記安定化部材（１３）が側方に前記第２の荷重分散プレート（１０）を越えることを特徴とする請求項１７から２３いずれか１項記載のシューソール。
【請求項２５】
前記第２の荷重分散プレート（１０）が、前記緩衝部材（２０）および／または前記誘導部材（２１，２２）および／または前記安定化部材（２３）を、少なくとも部分的にＵ字状に包囲することを特徴とする請求項１５から２４いずれか１項記載のシューソール。
【請求項２６】
前記Ｕ字状の包囲体が、足の前部分に向けて前記第２の荷重分散プレートの端部に配置されていることを特徴とする請求項２５記載のシューソール。
【請求項２７】
前記緩衝部材（２０）および／または前記誘導部材（２１，２２）および／または前記安定化部材（２３）および／または前記変形可能部材（１１０，１１１，１１２，１１３，１１４）の下にさらに連続した本底（３０，２００）が配置されていることを特徴とする請求項１５から２６いずれか１項記載のシューソール。
【請求項２８】
前記本底（２００）が蛇腹状接続部（２０１）を備えて、前記緩衝部材（２０）、前記誘導部材（２１，２２）、前記安定化部材（２３）および前記変形可能部材（１１０，１１１，１１２，１１３，１１４）の独立した変形を可能にしていることを特徴とする請求項２７記載のシューソール。
【請求項２９】
前記第１と第２の荷重分散プレートが互いに接続されていることを特徴とする請求項１から２８いずれか１項記載のシューソール。
【請求項３０】
請求項１から２９いずれか１項記載のシューソールを備えたシューズ。
【発明の詳細な説明】
【０００１】
１．　技術分野
本発明は、シューソールに関し、特にスポーツシューズ用のシューソールに関するものである。
【０００２】
２．　従来技術
シューソールは、第１に二つの要求を満足させなければならない。一方では、地面にしっかりとグリップしなければならず、他方では、筋肉および骨にかかる負担を弱めるために、一歩一歩の周期中に生じる地面の反力を十分に緩衝しなければならない。
【０００３】
ありきたりのシューズの製造においては、第１の目的は本底によって扱われ、緩衝のためにミッドソールが本底上に配置される。スポーツシューズにおいては、より大きい機械的負荷がかかる他のシューズと同様に、一般にミッドソールは、連続的に発泡されたＥＶＡ（エチレン酢酸ビニル）から作成される。
【０００４】
しかしながら、走行時における生体力学の詳細な研究によれば、等質的な形状のミッドソールは、一歩一歩の周期時の複雑な動きに対して適応していないことが判明した。踵の着地から爪先部分の押し離しまでの一連の動作は、足の外側から内側へと後方への多数の複雑な回転運動を伴う三次元的動きである。
【０００５】
この一連の動作に選択的に影響を与えるために、過去においては、例えばシューズを着用者の回外または過剰な回内を選択的に避ける別の材料特性を備えた別のサポート部材を発泡ミッドソールに組み込んでいた。これは特に、転がし離し（ｒｏｌｌｉｎｇ−ｏｆｆ）特性および押し離し（ｐｕｓｈ−ｏｆｆ）特性を決定する足の前部分に施されるが、着地時のシューズの反力を決定する側の踵部分にも施される。
【０００６】
走行時の生体力学的コントロールには多少の進展が見られるものの、これらの改良にはいくつかの欠点がある。
【０００７】
特別のサポート部材を発泡ミッドソールに加えると、ランニングシューズで特に顕著となるシューズの重さが実質的に増大する。さらに、サポート部材を組み込むことは、シューズの製作時に、これら部材のそれぞれを接着、融着等によってミッドソールの周囲にしっかりと固定しなければならないので、シューソールの製作コストが実質的に上昇する。
【０００８】
最後に、サポート部材の材質または形状に関する変更はミッドソール全体の設計を必要とするので、上述のような従来のアプローチは、ミッドソールの生体力学的特性の容易かつ費用効率の良い改善を妨げる。生体力学的研究の新しい成果または新種のスポーツにおける要求変更に対してシューズのモデルを迅速に適応させることは不可能である。
【０００９】
したがって、本発明の目的は、上述した従来の欠点を克服したシューソールを提供することにある。
【００１０】
３．　発明の概要
本発明は、特に、スポーツシューズ用のシューソールであって、シューソールの足の前部分に配置された第１の荷重分散プレートおよび少なくとも外側と内側の変形可能な部材を備え、足の前部分の後端から始まる前記第１の荷重分散プレートが外側および／または内側の変形可能な部材を少なくとも部分的に包み込んでいるシューソールに関する。
【００１１】
本発明によれば、シューソールの機能部材のための支持部材として働く荷重分散プレートが提供される。この構造部材は、足の前部分への外部荷重に対する各々の変形可能な部材の応答を伝達し、分散させる。したがって、回外や過剰な回内を回避するために、外側および内側の変形可能な部材の数、配置および特定の材料特性により、例えば、転がし離し中および押し離し中に、運動の進行にはるかに多い選択的な影響が可能になる。言い換えれば、独立した変形可能な部材により、特定区域の変形の必要性に正確に適応できる。
【００１２】
荷重分散プレートは足の前部分の後端から始まる変形可能な部材を包み込んでいるので、その三次元形状により、一方で、足の土踏まず領域の支持が増加し、他方で、緩衝のためまたは弾性エネルギーの貯蔵のために、足の前部分において高度の柔軟性が可能になる。
【００１３】
異なる変形可能な部材が、ソールの現在のまたは変更された要件を満たすのにより適していることが判明した場合には、ソールの製造工程をどのような変更も他に行う必要なく、現在の変形可能な部材を容易に置き換えられる。
【００１４】
最後に、ソールの全重量は、連続発泡材料の代わりに、離れて配置された前部部材を備えた本発明による足の前部分の構成により著しく減少する。
【００１５】
好ましくは、外側および内側の変形可能な部材は、シューソールの荷重の元で独立して変形するように、第１の荷重分散プレートの下に互いから間隙を介して配置されている。この変形可能な部材の離れた配置により、周囲を加工ＥＶＡ発泡体中への組込みとは対照的に、各々の部材が完全に独立して変形できる。
【００１６】
好ましくは、第１の荷重分散プレートは、前方が開いたＵ字形を有する。変形可能な部材は、後ろと下から第１の荷重分散プレートにより取り囲まれているので、この形状により、ソールの構造的安定性が増大することとなる。
【００１７】
好ましくは、第１の荷重分散プレートは、互いに独立して歪められ、好ましくは、切込み部分により互いから離されている外側および内側の下側部を持つ。この切込み部分により、荷重分散プレートの側で、外側と内側の変形可能な部材が別々に提供される。したがって、前部分の内側のソールの応答特性は、外側の応答特性とは独立して調節できる。
【００１８】
好ましい実施の形態において、後外側の変形可能な部材、前外側の変形可能な部材、後内側の変形可能な部材および前内側の変形可能な部材は、互いから間隙を介して、第１の荷重分散プレートの下に配置されている。さらに、爪先の変形可能な部材は、好ましくは、他の変形可能な部材から間隙を介して第１の荷重分散プレートの下の最先端領域に提供されている。これらの別々の変形可能な部材には、足による転がし離し中および押し離し中に、順次荷重が加えられる。したがって、それぞれの材料特性、特に、圧縮性は、外側および内側で、このプロセスの各々の部分に選択的に影響を与えることができる。この爪先の変形可能な部材は、好ましくは、第１の荷重分散プレートを越えて前方に延在し、地面から押し離しを促進する特定の弾性を持っている。
【００１９】
特に好ましい実施の形態によれば、シューソールの踵部分に第２の荷重分散プレートが追加に配置されており、この第２の荷重分散プレートの下には、踵により最初の地面との接触中のシューソールの緩衝特性を決定する少なくとも１つの緩衝部材が配置され、また、第２の荷重分散プレートの下には、最初の地面との接触後に足を中立位置に持っていく材料特性を持っている少なくとも１つの誘導部材が配置されている。
【００２０】
この緩衝部材は、最初の地面との接触中に生じる地面の反力から関節および筋肉を保護する一方で、誘導部材の材料特性により、地面との接触の直後でさえも、「回内調節」が行われて、足を、一歩一歩の周期のこの段階にとって正しい中間位置に持っていくことが確実になる。
【００２１】
踵部分にある第２の荷重分散プレートは、一方で、踵への均一な力の分布を確実にし、他方で、上述した部材の緩衝および誘導作用を、踵の単独部分に制限させず、足の後部分全体に均一に伝達させる。したがって、足は、公知の緩衝機能に加えて、足の後部分のその後の転がし離し相のために最適に準備される。
【００２２】
好ましくは、外側と内側の誘導部材が、第２の荷重分散プレートの下に配置されている。これら２つの機能ユニットの組み合わさった効果により、シューソールと地面との接触中に、踵の後外側から中心への、重心の移行を調節することができる。
【００２３】
さらに、一歩一歩の周期の転がし離し相に移行する最中に過剰な回内が避けられるような材料特性を持つ安定化部材が、第２の荷重分散プレートの下に追加に配置されることが好ましい。誘導部材の機能に加え、追加の安定化部材は、足の内側への過剰な回転を防ぐ。当業者には、直ちに、誘導部材の場合のように、これは、回内調節に用いられる必須の材料特性である、生じている荷重の元で対応する部材の圧縮性であることが理解されよう。
【００２４】
好ましくは、緩衝部材、２つの誘導部材および安定化部材の各々は、第２の荷重分散プレートの下の区域の実質的にセクター状の部分を占め、ここで、緩衝部材はシューソールの踵領域の後外側部分を実質的に占め、第１の誘導部材は前外側部分を占め、第２の誘導部材は後内側部分を占め、安定化部材は前内側部分を占める。
【００２５】
本発明による機能部材のこの好ましい配置により、都合のよい様式で、最初の地面との接触から転がし離し相への移行まで、完全に「回内を調節」することができる。最初の地面との接触中の緩衝部材の緩衝圧縮後、対角線上に配置された誘導部材が、重心の荷重を踵の中心に導く。前内側部分に配置された安定化部材は、足のさらなる回転の過程において、重心が内側に過剰にシフトしないことを確実にする。
【００２６】
本発明によるソール構造体の耐久性をさらに改善するために、第２の荷重分散プレートは、好ましくは、第１の荷重分散プレートと同様に、緩衝部材および／または誘導部材および／または安定化部材を少なくとも部分的に包み込む。第２の荷重分散プレートのＵ字形枠は、後端で緩衝に必要な最大の柔軟性を提供するために、第１の荷重分散プレートの好ましい実施の形態の鏡像のように、端部が足の前部分に向けられて配置されている。同時に、これにより、ソールの中央部分において、足の土踏まずの必要な支持が確実になる。
【００２７】
本発明によるソールの追加の好ましい変更例は、さらなる従属項の主題である。
【００２８】
４．　好ましい実施の形態の詳細な説明
以下、スポーツシューズを参照して本発明によるシューソールの現在好ましい実施の形態について説明する。しかしながら、本発明は、別の種類のシューズにも適用可能であることを理解すべきである。
【００２９】
図１は、そのシューソールが本発明の基本概念を具現化したスポーツシューズ１の簡略化した概略的側面図を示す。本発明による前部分を備えたシューソールは、従来のアッパー２の下方に配置されている。以下「前半分」と呼ぶ前部分においては、Ｕ字状に曲げられた荷重分散プレート１００の下方に数個の変形可能な部材が配置されている。下記に説明する変形可能な部材のうちの２個が少なくとも部分的に多方向から包囲されているので、Ｕ字状の包囲体により、本発明によるシューソールにより高い構造的安定性がもたらされる。さらに、足の土踏まずの下方の踵の前方部分において大きな剛性が得られ、したがって足のサポート性が高められる。
【００３０】
図２は、荷重分散プレート１００の下方における変形可能な部材の好ましい配置を示す底面図である。シューソールの中央から出発して、第１に後外側の変形可能な部材１１０が後内側の変形可能な部材１１１の隣に配置され、前外側の変形可能な部材１１２および前内側の変形可能な部材１１３がそれに続いている。爪先の変形可能な部材１１４がシューソールの先端における爪先領域に配置されている。図２から明らかなように、変形可能な部材１１０，１１１，１１２，１１３，１１４は、荷重分散プレート１００の下方において、互いに間隙１２０を介して配置されている。これにより、各単一部材が独立的に変形することが可能となる。変形可能な部材１１０，１１１は最初に誘導部材として作用し、すなわちこれらは、転がし離し相への移行時に、足を回外運動と回内運動との間の中立位置に維持する。変形可能な部材１１２，１１３および特に爪先の変形可能な部材１１４は、一段と弾力性を有する（下記参照）。
【００３１】
間隙１２０は星状に配置されているのが好ましい。しかしながら、例えば間隙が、内側から外側へ直線的に延びているような、外側の変形可能な部材と内側の変形可能な部材との別の配置も可能である。或る場合には、変形可能な部材のエッジ同士が互いに接触している場合も考えられる。但し、これは各単一の変形可能な部材の実質的に独立的な変形が確保される限り、関係はない。爪先の変形可能な部材１１４も、図２に破線で示されているように二部分で形成されていてもよい。前部分に独立した外側押し離し部分と内側押し離し部分を前部分に設けるために、爪先の変形可能な部材１１４の外側部分と内側部分との間に一筋のみの溝状空隙が配置された構成も考えられる。
【００３２】
変形可能な部材１１０，１１１，１１２，１１３，１１４の圧縮状態は、シューズの転がし離し特性に選択的に影響を与えるために、材料の相違のみでなく、サイズおよび形状の相違によって決定することができる。すなわち例えば、もし前内側の変形可能な部材１１３および／または後内側の変形可能な部材１１１が、他の変形可能な部材よりも硬ければ、回内運動が妨害される。これと反対に、もしアスリートがより回外する傾向がある場合には、より硬い前外側の変形可能な部材１１２および／または後外側の変形可能な部材１１０によりこの欠点を是正することができる。同様に、外側および／または内側の前後の変形可能な部材との間に差を設けることもできる。一般に、例えばゴムの混合物を主体とするショア硬度５７ＣのＥＶＡ部材が用いられる。一定の硬度を有する変形可能な部材の代りに、硬度勾配を有する、すなわち或る範囲に沿って硬度が変化する変形可能な部材を設けることも考えられる。
【００３３】
形状も変形特性に影響を与える。凹部または凹溝は、凸部（より硬い）とは異なる（軟らかい）特性を有する。
【００３４】
爪先の変形可能な部材１１４に関しては、実質的にエネルギー損失を伴わずに変形し、したがって地面を蹴って（押して）離れるのが容易になる。すなわち、転がし離し相の初期には、重量の増大によってこの部材が荷重を背負う、すなわちこの部材の弾性変形によって位置エネルギーが蓄積される。転がし離し相の終期には、すなわち蹴って離れるまさにその最中において、蓄積されていたエネルギーが解放され、着用者の足に運動エネルギーとして伝達されて、運動の進行を援助する。
【００３５】
結論として、当業者であれば、本発明が、本発明による製造工程を変えることなしに、著しく異なるソール特性を得るための一種の構造キットを提供するものであることを認識するであろう。
【００３６】
図４から図６は、荷重分散プレート１００の好ましい実施の形態の詳細を示す。図５の側面図は、変形可能な部材１１０，１１１，１１２，１１３，１１４を収容する領域を区切る小さい突状１０１を明瞭に示している。突状１０１は、Ｕ字状包囲体に囲まれていない、相互に支持する手段を持たない変形可能な部材１１２，１１３，１１４の横方向のスライドを回避する。爪先の変形可能な部材１１４は、荷重分散プレート１００の前部１０９からの付加的な支持を受けるエッジ１１５を備えている。変形可能な部材１１０，１１１，１１２，１１３，１１４および荷重分散プレート１００は、上述した構造的詳細とともに図７の分解図から特に明らかである。
【００３７】
下側の脚部、すなわち、荷重分散プレート１００のＵ字状包囲体の下側は、上側１０９よりも短い（図５，７参照）。さらに、下側の脚部は、２つの部分として、切込みセクション１０７により隔てられた外方下側１０５および内方下側１０６により設けられている。これにより、必要であれば、異なる復元力により、荷重分散プレート１００の内方と外方の下側を別々に歪ませることができる。これは、再度、足の前部分の内側と外側のソールの特性を独立して調節する本発明の可能性を反映している。
【００３８】
荷重分散プレート１００は、好ましくは、一方では、別々の変形可能な部材により伝達された荷重を大面積に分散させるのに十分な剛性を持ち、他方では、長い耐用年限に亘り連続荷重に抵抗するのに十分に靱性のある、安定なプラスチック材料から製造される。好ましくは、アトケム（Ａｔｏｃｈｅｍ）社により市販されている、Ｐｅｂａｘ（登録商標）７２３３が用いられる。荷重分散プレート１００に好ましい別のプラスチック材料が、商標Ｈｙｔｒｅｌ（登録商標）の名称で入手できる。しかしながら、炭素繊維、ガラス繊維、Ｋｅｖｌａｒ（登録商標）、適切な複合材または対応する材料特性を持つ金属シートの使用も考えられる。
【００３９】
図３は、本発明の構成部材をどのように完全なソールに組み込めるかを示す実例を示している。既に論じた変形可能な部材および荷重分散プレート以外に、足の前部分の下側においてソールの終端となっている前方本底２００が見られる。シューズの使用を意図した分野に応じて、本底の形状や特徴は異なって設計されるであろう。
【００４０】
変形可能な部材が別々に変形するのを損なわないようにするために、間隙１２０が本底２００の蛇腹状接続部２０１により覆われている。例えば、変形可能な部材１１３が変形可能な部材１１１よりも変形されるある状況にある場合、本底２００により覆われるべき間隙１２０は大きくなる。しかしながら、この変化は、変形可能な部材１１１および１１３の両方がまだ、生じている荷重に対して互いに実質的に独立して反応できるように本底２００の蛇腹状接続部２０１によって容易に補償できる。したがって、接続部２０１は、変形可能な部材の力関係を損なわずに、泥や湿気が間隙１２０に入らないようにする。
【００４１】
図８は、本発明のさらなる実施の形態によるシューソールを備えたシューズの側面図を示している。足の前部分にある上述したソール構成体に加えて、第２の荷重分散プレート１０がソールの踵部分に配置されている。図８は外側縁のみを示している。いくつかの機能部材が踵の荷重分散プレート１０の下に、したがって、ソールの踵部分内に配置されている。この側面図は、ソールの後外側に配置された緩衝部材２０および踵部分の前方部分に配置された誘導部材２１を示している。
【００４２】
この実施の形態の踵部分の機能部材の好ましい配置の詳細が図１１に示されている（側面図に示された本底層３０は、明瞭にするために示されていない）。見れば分かるように、４つの機能部材２０，２１，２２，２３が、荷重分散プレート１０の下のほぼ円形領域の複数の部分に分布している。緩衝部材２０は後外側部分を実質的に占めている。第１の誘導部材２１は前外側部分に配置されており、一方で、第２の誘導部材２２は後内側部分に配置されている。前内側部分に配置された追加に配置された安定化部材２３は、ソールの前部分の方向に最も大きい範囲を持つ。安定化部材２３は、以下詳細に説明されるように、過剰な回内を防ぐ機能をよりよく達成するために、図１１に示されているように、荷重分散プレート１０の縁を側方に越えても差し支えない。
【００４３】
図１２の斜視図および図８の側面図から分かるように、好ましい第２の荷重分散プレート１０は、第１の荷重分散プレート１００と同様に、前方部分において、Ｕ字状に曲げらており、安定化部材２３および第１の誘導部材２１を包囲している。このように、荷重分散プレート１０はハウジングのような構造部材を形成しており、ここで、上述した機能部材がその内部に挿入されている。したがって、完全な踵部分には、長い耐用年限に必要な安定性が与えられる。実質的にセクター状の間隙２７が、緩衝部材２０と、誘導部材２１，２２との間に配置されており、ここで、シューズに特に高い荷重がかけられる場合には、追加の強化部材（図示せず）をこれらの間隙中に挿入することができる。必要であれば、足の踵骨の直ぐ下に特に良好な緩衝を与えるために、さらなる高粘性緩衝部材（図示せず）を、荷重分散プレート１０の中心の円形凹部２５中に挿入することもできる。
【００４４】
第２の荷重分散プレート１０が、アスリートの踵への均一な圧力分布を確実にするように連続している、好ましくは、星状の開口部１１とは別である。星状開口部１１（別の形状も同様に考えられる）は、通気性の機能を果たし、第２の荷重分散プレート１０の下の機能部材２０，２１，２２，２３の確実な固定を促進させるのが分かる。しかしながら、横方向へのスライドを避けるために、第１の荷重分散プレート１００での場合のように、ここでも突状１０１を使用することが考えられる。
【００４５】
本発明によるソールの上述した機能部材２０，２１，２２，２３，１１０，１１，１１２，１１３，１１４と共に、それぞれ、第１と第２の荷重分散プレート１００，１０の組合せにより踵区域と足前方区域に得られる効果は、図１３ａから１３ｄを参照して以下に説明されている。矢印は、転がし離し周期の異なる段階の最中の力線を示す。
【００４６】
図１３ａは最初の地面との接触の状況を示しており、これは、大部分のアスリートについて、ソールの後外側に生じる。そこに配置された緩衝部材２０は、地面との接触中に足に伝達されるエネルギーを分散させ、したがって、過剰な負担に対して足の関節と膝を保護する。
【００４７】
図１３ｂは次の段階を示す。本発明により提供された誘導部材２１，２２は、ここでは荷重の元（対応する矢印を参照）にあり、適合する材料特性により、足を適応させる、すなわち、回外と回内との中立位置である、地面に関して実質的に平行な方向付けにする。それによって、荷重の中心は、後外側の元の位置から、踵部分の中心にシフトする。誘導部材２１，２２のこの機能は、適切な材料特性、特に、部材２１および２２の圧縮性により行われる。
【００４８】
図１３ｃは、本発明による足の前部分について、転がし離しに移行する直前の地面接触相の段階を示す。追加の安定化部材２３により、外側から内側への重心の位置のシフトが停止され、したがっ、過剰な回内が避けられる。このことは、全体の荷重がシューズの内側だけでなく外側にも均一に分布するように縦軸の方向に力線を向け直すことにより、図１３ｃに示されている。
【００４９】
最後に、図１３ｄは、転がし離し中および押し離し中の力線を示している。最初に、シューズの縦軸に平行な重心の真っ直ぐな移動が続けられ、足の前部分領域の外側と内側に荷重が均一に分布し、したがって、足が中立位置を維持する。足の最先端領域において、力線は、押し離し中に最大の荷重を負う、足の親指の方向において内側にわずかに曲がる。
【００５０】
このように、本発明によるソールによって、図１３ａから１３ｄまでに図示した順序により、踵による地面接触相が終わったときに、足は既にその時点で、進行の正確な過程のために正しい方向に向けられることが確実になる。第２の荷重分散プレート１０は、部材２０，２１，２２，２３のそれぞれの緩衝機能、誘導機能および安定化機能を踵の全区域に伝達し、したがって、足の方向付けに意図した効果を与える。第１の荷重分散プレート１００およびその下に配置された変形可能な部材１１０，１１１，１１２，１１３は、最終的に爪先の変形可能な部材が特定の弾性により押し離しをサポートするまで、進行の過程の選択的な調節を続ける。
【００５１】
機能部材２０，２１，２２，２３、並びに足の前部分の変形可能な部材１１０，１１１，１１２，１１３，１１４は、好ましくは、発泡部材から製造される。踵部分においてはポリエーテルベースのＰＵ発泡体を使用することが特に好ましく、一方で、足の前部分では、ゴムベースのＥＶＡ発泡体が、その高い弾性のために好ましく用いられる。既に述べたように、所望の緩衝機能、誘導機能または安定化機能は、それぞれ、機能部材の異なる圧縮性により得られる。一般に、それらの部材の好ましい硬度は、５５から７０のＳｈｏｒｅ　Ａｓｋｅｒ　Ｃ（ＡＳＴＭ７９０）の範囲にあり、ここで、緩衝部材、誘導部材および安定化部材間の相対的な差は、シューズの使用分野、アスリートのサイズや体重に依存する。異なる圧縮性は、例えば、上述したＰＵ発泡体の異なる密度により得ることができる。特に好ましい実施の形態によれば、第１の誘導部材２１および／または第２の誘導部材２２、並びに安定化部材１３の密度は、均一ではなく、後方から前方に増加し、それによって、圧縮性がこの方向で減少する。
【００５２】
図８に示されているシューズはランニングシューズのための本発明によるソールに関する実施の形態を含んでおり、一方で、図１４は、バスケットボールシューズのためのさらなる実施の形態を示している。図１４に示されているように、踵部分の安定性をさらに大きくするために、荷重分散プレート１０のＵ字状包囲体の下側部分が後方まで延ばされている。さらに、荷重分散プレート１０は、図１４の実施の形態において、Ｕ字状セクションの曲率半径がより小さくなっており、隣接する足の前部分にある土踏まずをより確実に支持することができる。機能要素の下に配置された本底の設計は、図１０に示した実施の形態において、それらの配置に対応する。別個のセクション３１は緩衝部材２０に対応し、したがって、この部材は変形することが妨げられるものではない。これとは対照的に、図１５の概略図には、特に高いピーク荷重を負うシューズ、例えば、図１４のバスケットボールシューズに好ましく用いられているように、踵部分に連続した本底３０の代わりの実施の形態が示されている。あるいは、本底は、足の前部分の上述した本底２００と同様に設計されていてもよい、すなわち、この領域において、本底は、蛇腹状接続部により別々の機能部材の間の間隙を架橋して、独立した変形を確実にし、これと同時に、土や湿気の浸透を避けてもよい。
【００５３】
最大の構造安定性に関して、完全なソール区域の基礎構造を提供するために、第１と第２の荷重分散プレートを結合させることも可能である（図示せず）。
【図面の簡単な説明】
【図１】本発明の第１の実施の形態によるシューソールを備えたシューズの側面図
【図２】図１のシューズの底面図
【図３】図１のシューソールの前部分の詳細図
【図４】第１の荷重分散プレートの一実施の形態の平面図
【図５】第１の荷重分散プレートの一実施の形態の側面図
【図６】第１の荷重分散プレートの一実施の形態の底面図
【図７】本発明の一実施の形態によるシューソールの前部の分解図
【図８】踵部分に第２の荷重分散プレートを備えた本発明のさらなる実施の形態の側面図
【図９】図８のシューズの背面図
【図１０】図８のシューズの底面図
【図１１】踵部分の詳細な底面図
【図１２】踵部分の好ましい実施の形態の斜視図
【図１３ａ】図８から図１２までに示された好ましい実施の形態における着地から出発して押し離しに向うときの荷重線を示す概略図
【図１３ｂ】図８から図１２までに示された好ましい実施の形態における着地から出発して押し離しに向うときの荷重線を示す概略図
【図１３ｃ】図８から図１２までに示された好ましい実施の形態における着地から出発して押し離しに向うときの荷重線を示す概略図
【図１３ｄ】図８から図１２までに示された好ましい実施の形態における着地から出発して押し離しに向うときの荷重線を示す概略図
【図１４】本発明による他の実施の形態のシューソールを備えたシューズの側面図
【図１５】図１４のシューズの底面図
【図１】
2004033739.tif 000003
【図２】
2004033739.tif 000004
【図３】
2004033739.tif 000005
【図４】
2004033739.tif 000006
【図５】
2004033739.tif 000007
【図６】
2004033739.tif 000008
【図７】
2004033739.tif 000009
【図８】
2004033739.tif 000010
【図９】
2004033739.tif 000011
【図１０】
2004033739.tif 000012
【図１１】
2004033739.tif 000013
【図１２】
2004033739.tif 000014
【図１３ａ】
2004033739.tif 000015
【図１３ｂ】
2004033739.tif 000016
【図１３ｃ】
2004033739.tif 000017
【図１３ｄ】
2004033739.tif 000018
【図１４】
2004033739.tif 000019
【図１５】
2004033739.tif 000020
【外国語明細書】
2004033739.tif 000021
2004033739.tif 000022
2004033739.tif 000023
2004033739.tif 000024
2004033739.tif 000025
2004033739.tif 000026
2004033739.tif 000027
2004033739.tif 000028
2004033739.tif 000029
2004033739.tif 000030
2004033739.tif 000031
2004033739.tif 000032
2004033739.tif 000033
2004033739.tif 000034
2004033739.tif 000035
2004033739.tif 000036
2004033739.tif 000037
2004033739.tif 000038
2004033739.tif 000039
2004033739.tif 000040
2004033739.tif 000041
2004033739.tif 000042
2004033739.tif 000043
2004033739.tif 000044
2004033739.tif 000045
2004033739.tif 000046
2004033739.tif 000047
2004033739.tif 000048
2004033739.tif 000049
2004033739.tif 000050
2004033739.tif 000051